(57)【要約】      （修正有）【課題】一般家庭の室内に容易に設置でき、かつ安全な家庭用組立てボールプールを提供する。【解決手段】家庭用組立てボールプールは主に、周囲フレーム１０、エアクッション２０、及び壁用エアクッション３０を重ね合わせて構成したボールプールである。前記周囲フレーム１０は底層及び周囲を封鎖状態で囲む幕状のフレーム体であり、その内面の底部及び周囲はそれぞれエアクッション２０及び壁用エアクッション３０による構造で、幼児はエアクッション２０及び壁用エアクッション３０により構成される安全空間内に置かれ、加えて周囲フレーム１０の包覆により安全でしかも倒れ難い家庭用ボールプールを形成する。【選択図】図１
0003148746.tif 000002
【実用新案登録請求の範囲】
【請求項１】
周囲フレーム、エアクッション、壁用エアクッションを備える家庭用組立てボールプールにおいて、
前記周囲フレームは、底層及び周囲を封鎖状態に取り囲む隔離部により構成される封合体で、前記隔離部は複数の個々体により組成されており、並びに周囲フレームの外形は取り囲む多角形体を形成し、前記隔離部は辺エッジのサポート体及び内側エッジの布面により構成され、前記布面上にはネット窓を設け、
前記エアクッションは、その外形を周囲フレームの底層と同様とし、前記エアクッションは底層の上方に配置し、しかも上方には下方向に円弧窪み形状溝面を設け、
前記壁用エアクッションは複数の個別体を設け、一つ一つの個別体は間隔を開けて窓穴を設置し、しかも窓穴下方には半分を覆ったカーテンを配置し、また壁用エアクッションは周囲フレームの隔離部の内側エッジに配置し、下方はエアクッションを挟み込み圧し、
前述のエアクッション及び壁用エアクッションは気体を充填して内部を膨張させる封合プラスチック膜により封合形成することを特徴とする家庭用組立てボールプール。
【請求項２】
前記隔離部エッジのサポート体は強弾力の細いワイヤーであることを特徴とする請求項１記載の家庭用組立てボールプール。
【請求項３】
前記壁用エアクッション上の窓穴は布面上のネット窓に丁度対応することを特徴とする請求項１記載の家庭用組立てボールプール。
【請求項４】
前記周囲フレームは六角形であることを特徴とする請求項１記載の家庭用組立てボールプール。
【考案の詳細な説明】
【技術分野】
【０００１】
家庭用組立てボールプールは特に普通の室内において幼児がその中で遊べる封鎖式エアクッションの組立てボールプールに関するものである。
【背景技術】
【０００２】
一般に幼児が成長する時期には新しい物に好奇心を持つが、幼児体内のバランスを司るシステムがまだ完全に発育しておらず、遊んでいるときにひっくり返ってぶつけることもある。この時期は幼児の感覚統合における急速成長期と言われ、その成長の為に最も適当なのが幼児に円形のおもちゃを与えることであるが、安全性に問題のないという条件に符合するボールプールは一つの良好な選択となる。しかし一般のボールプールは規模が大きく多くは大型の遊戯施設にあり、一般家庭の室内への設置は難しく、大きな欠点であった。
【０００３】
前述の欠点を補う為に、一般家庭の室内においては、高弾性の細いワイヤー及び布材によって底部及び周囲縁を封鎖状態で結合した「布フレーム構造体」を選択し、その底部に敷き布団を敷いて幼児を中に入れ、並びにおもちゃやボール等も入れて幼児が遊べるようにしている。しかしワイヤーや布材で囲む構造体は軟らかく、安定性が保たれず、幼児が周囲縁で転んだ場合、フレーム体全体も圧せられるか傾斜し、幼児の転倒や外への飛び出しを防ぐことができず、安全性に問題が残るのが欠点である。
【考案の開示】
【考案が解決しようとする課題】
【０００４】
また、よく見られる家庭用ボールプールは、ボールがボールプールの外に飛び出し易く、しかもこの構造は主にプラスチック布に空気を入れて構成される城状構造体であり、幼児にその中での遊戯を提供するものであるが、この種のエア充填式のプラスチック布は周囲の壁、及び底部クッションを封鎖状態に結合するものである。これによって構成される構造体の空間は非常に複雑で、空気を充填する時面倒である他、構造体の相互を粘着組み合わせて結合させる場合、比較的大きな力を受けて破裂し易いのが公知のボールプールにおける欠点である。
【課題を解決するための手段】
【０００５】
本考案の目的は、周囲フレーム、エアクッション、壁用エアクッションを重ねて構成されるボールプールを提供することにある。
【考案の効果】
【０００６】
本考案は、組合せ式の構造体がそれぞれを個別製作でき構造が簡単で、組立てる場合非常に便利でサポート力も適当で安全性を有することを特徴とする家庭用組立てボールプールである。
【考案を実施するための最良の形態】
【０００７】
本考案の内容を深く御理解戴く為に、次に図面を組み合わせた説明を行う。
【０００８】
図１、図２、図３に示す通り、本考案は周囲フレーム１０、エアクッション２０、壁用エアクッション３０を最低備える。
【０００９】
前記周囲フレーム１０は、底層１１及び周囲を封鎖状態で取り囲む隔離部１２により構成された封合体である。前記隔離部１２は複数の個々状体により組成され、その強度を強化する。並びに周囲フレーム１０の外形は多角形体であり、六角形、八角形、その他円形に近い多角形体などはどれも適当な形状である。前記隔離部１２は辺エッジのサポート体１２２及び内側エッジの布面１２０により構成され、前記サポート体１２２は特に強弾力の細いワイヤーを最適とし、布面１２０上にネット窓１２１を設けると通気を更に良くすることが可能である。
【００１０】
前記エアクッション２０は、適当な厚みを備え、外形は周囲フレーム１０の底層１１と同様である。前記エアクッション２０は底層１１の上方に置き、エアクッション２０の上方には下方向に円弧窪み形状溝面２１を設ける。
【００１１】
前記壁用エアクッション３０は複数の個別体３１を設け、一つ一つの個別体３１は間隔をあけて窓穴３２を設置することも可能である。前記壁用エアクッション３０は周囲フレーム１０の隔離部１２内側縁に配置し、下方はエアクッション２０を挟んで圧する。窓穴３２は布面１２０上のネット窓１２１にちょうど対応する。前記窓穴３２の下方の約三分の一箇所にはカーテン３２１を設置してボール等の玩具が飛び出すのを防ぐことも可能である。また、窓穴３２から飛び出したとしても、壁用エアクッション３０と隔離部１２間の隙間内で止められる為、非常に便利である。
【００１２】
前記エアクッション２０及び壁用エアクッション３０は気体を充填させて内部を膨張させる封合プラスチック膜により封合形成するものである。
【００１３】
図５に示す通り、本考案を組み合わせる場合は、壁用エアクッション３０の各個別体３１を若干折り畳み、周囲フレーム１０の中央に配置する。力を緩めていた壁用エアクッション３０の各個別体３１は周囲フレーム１０の内側縁箇所を即刻サポートし、更にエアクッション２０を周囲フレーム１０の内部の壁用エアクッション３０中央に配置すると図２及び図３に示す通りになり使用状態が完成される。これに対し、収納したい場合は、エアクッション２０及び壁用エアクッション３０の気体を抜くと全体が折り畳み収納できる状態となる（未図示）。同時に周囲フレーム１０の隔離部１２は相互に折り畳んだ後は、体積も小さく収納も簡単でスペースを取らないものとなる。
【００１４】
使用時には、図１、図２、図４に示す通り、幼児をエアクッション２０及び壁用エアクッション３０で構成される安全空間内に置き、特にエアクッション２０の円弧窪み形状溝面２１と壁用エアクッション３０間には窓穴３２の設計を施して空間に立体設計が備えられユニーク性がある。
【００１５】
外部は更に一層の周囲フレーム１０によって緊密に圧せられて包覆されている故に、全体は更に安定した構造となり、倒れ難く、内部の幼児の活動は更に安全である。このような良心設計もまた本考案の主な特徴である。
【００１６】
前述は本考案の実施例であり本考案の実施範囲を限定するものではなく、この他の周囲フレームの多角形数の違いや外形における若干の変化は全て本考案の範疇内である。よって当該技術の熟知者によって為される同等効果または軽易な変化が本考案の精神と範囲を逸脱せずに為される同等効果の変化や修飾は全て本考案の実用新案登録請求の範囲内に含まれるものとする。
【図面の簡単な説明】
【００１７】
【図１】本考案の構造分解図である。
【図２】本考案を組立てた後の一部断面図である。
【図３】本考案を組立てた後の縦方向断面図である。
【図４】本考案の実施例図である。
【図５】本考案の組立て順序図である。
【符号の説明】
【００１８】
１０  周囲フレーム
１１  底層
１２  隔離部
１２０  布面
１２１  ネット窓
１２２  サポート体
２０  エアクッション
２１  円弧窪み形状溝面
３０  壁用エアクッション
３１  個別体
３２  窓穴
３２１  カーテン
【図１】
0003148746.tif 000003
【図２】
0003148746.tif 000004
【図３】
0003148746.tif 000005
【図４】
0003148746.tif 000006
【図５】
0003148746.tif 000007